(57)【要約】【課題】記録材をカッタで切断する画像形成装置において、カッタ刃の寿命を延伸し、切断縁を真直にする。【解決手段】カッタ刃２１の近傍には押え部材２３が配設してあり、これがプラテン２２上の記録材１を押圧してカッタ刃による切断時に記録材の不整な動きを防止して切断を補助する。このような装置において、プラテン２２の前記押圧部材２３に対向する部位に、記録材の巾方向にわたって突部２２ａが形成してある。従って、押圧部材が記録材１を押圧する部分が概ね線接触状態になる。【選択図】図７
2005047003.tif 000002
【特許請求の範囲】
【請求項１】
画像が形成される画像形成領域に搬送された記録材に画像を形成する画像形成装置における、搬送中の記録材を切断する記録材切断装置において、
記録材の搬送方向に交差する方向に移動して記録材を切断するカッタ刃を有し、該カッタ刃の側面が記録材に対して所定の傾き角度だけ傾いていることを特徴とする記録材切断装置。
【請求項２】
走行するカッタ刃で記録材を切断する記録材切断装置において、
切断される記録材を屈曲させる手段を備え、記録材の屈曲部位で前記カッタ刃を切断走行させることを特徴とする記録材切断装置。
【請求項３】
カッタ刃の近傍に配設されて記録材を押える記録材押圧部材、カッタ刃を備えたカッタユニット、及び記録材を支持する部材のうちの少なくとも一つの部材に、記録材を屈曲させる手段を有することを特徴とする請求項２に記載の記録材切断装置。
【請求項４】
記録材を屈曲させる手段が、搬出された記録材を吸引する手段であることを特徴とする請求項２又は３に記載の記録材切断装置。
【発明の詳細な説明】
【技術分野】
【０００１】
本発明は、プロッタ、プリンタ、ファクシミリ、複写機などの画像形成装置における、記録材を切断する記録材切断装置に関する。
【背景技術】
【０００２】
上記のような周知の画像形成装置において、記録材を所定長さに切断するべく、記録材の巾方向にカッタ刃を走行させてこれを切断するようになっているのが普通である。
【０００３】
このようなカッタ装置は、通常、当初から記録材を切断可能な位置に配設してあって、切断開始の指令によってそのまま直線状に走行して切断するように構成してある。
【０００４】
また、切断時には、ほぼ水平状に保持されている記録材に対して切断を行うのが普通で、この場合記録材がカッタ刃から受ける抵抗によって片寄ったり、皺を生じたりして、結果として記録材の切断縁が綺麗な直線状にならなくなるのを防止するため、板状の押え部材によって、切断部位近傍の記録材部分を押圧するように構成することが広く行われている。
【発明の開示】
【発明が解決しようとする課題】
【０００５】
併しながら、このような切断の仕方では、カッタ刃の１点で押圧切断するのでカッタ刃の寿命が著しく短くならざるを得ず、さらに、切断開始時、カッタ刃が記録材の縁部にかかるときには、カッタ刃からの抵抗によって記録材縁部が湾曲し易く進入性が劣化して真直に切断できないような事態が生起し易いなどの問題があった。
【０００６】
さらにまた、前述のような押え部材を用いる場合、該押え部材が記録材に面接触状態でこれを押圧しているため、記録材への押圧作用が分散して均等に押圧することが困難となるので、切断開始時、さらに切断中も、カッタ刃が、記録材をその進行方向に波打ち状に湾曲させて真直な切断ができなくなると云う問題があった。そしてこのような事態は、前述のように、水平方向に保持された記録材を切断する場合には顕著に表れがちであった。
【０００７】
本発明は、上記事情に鑑み、カッタ刃の進入性、切れ味をよくし、また、常時安定的に記録材を所定位置で真直に切断できるような記録材切断装置を提供することを目的とする。
【課題を解決するための手段】
【０００８】
上記目的を達成するための本発明の記録材切断装置は、画像が形成される画像形成領域に搬送された記録材に画像を形成する画像形成装置における、搬送中の記録材を切断する記録材切断装置において、
（１）記録材の搬送方向に交差する方向に移動して記録材を切断するカッタ刃を有し、該カッタ刃の側面が記録材に対して所定の傾き角度だけ傾いていることを特徴とするものである。
【０００９】
また、上記目的を達成するための本発明の記録材切断装置は、走行するカッタ刃で記録材を切断する記録材切断装置において、
（２）切断される記録材を屈曲させる手段を備え、記録材の屈曲部位で前記カッタ刃を切断走行させることを特徴とするものである。
【００１０】
ここで、
（３）カッタ刃の近傍に配設されて記録材を押える記録材押圧部材、カッタ刃を備えたカッタユニット、及び記録材を支持する部材のうちの少なくとも一つの部材に、記録材を屈曲させる手段を有してもよい。
【００１１】
さらに、
（４）記録材を屈曲させる手段が、搬出された記録材を吸引する手段であってもよい。
【発明の効果】
【００１２】
本発明によれば、記録材を切断するように構成した画像形成装置において、カッタ刃の側面が記録材に対して所定の傾き角度だけ傾いているので、切断開始当初における記録材への進入性が向上するとともに、切断中も基本的切断方向への走行とともにこれと異なる方向へ移動して押し引き動作が加わるのでカッタ刃の切れ味を増し、且つカッタ刃の全長を万遍なく使用するのでカッタ刃の寿命の延伸にも有効である。
【００１３】
また、切断に際して記録材を押圧保持するにあたり、切断部位にある記録材を屈曲状にして記録材に腰をつけて切断することによって、切断抵抗によって記録材が片寄ったり、波打ったりすることを好適に阻止できるので真直な切断を行うことが可能である。
【発明を実施するための最良の形態】
【００１４】
本発明は、記録材に画像を形成する画像形成装置の記録材切断装置に実現された。
【実施例１】
【００１５】
「図１」は本発明の実施例を示す画像形成装置の要部、とくにカッタ装置部位のみを示す斜視図である。図示符号１０は、通常紙からなる記録材１が載置されて走行するプラテンで、この上を記録材１が白抜き矢印方向に走行するものとする。
【００１６】
記録材１の上方には、案内レール７が、記録材の走行方向に直交する方向に配置してあり、該レール７にカッタベース５が摺動自在に配置してある。前記カッタベース５にはワイヤ８が取着してあり、このワイヤ８を不図示の駆動源によって巻き取り、巻き戻すことによって前記カッタベース５が前記案内レール７に沿って往復動する。
【００１７】
前記カッタベース５の下方に取着したピン２’には、カッタ刃３とガイドコロ４を備えたカッタユニット２が回動自在に配設してあり、該カッタユニット２は、その上面と前記カッタベース５下面との間に配設した引っ張りばね６によって常時上方、記録材１から離隔する方向に偏倚されている。なお、図示の装置では直線状の刃を用いているが、円形カッタを利用することも勿論可能である。
【００１８】
さらに、前記ガイドコロ４は案内レール７と平行に配設したカッタレール９の下面に当接しており、このコロ４と前記ばね６とによってカッタユニット２の位置が決定されている。
【００１９】
前記ガイドコロ４が当接するカッタレール９の下面には、その長手方向に沿って、「図２」に符号９ａ、９ｂ、９ｃ等によって示すような下方に突出形成したリブのテーパ部が設けてある。このような構成の切断装置の作動について、以下「図２」、「図３」によって説明する。
【００２０】
なお、付言すると、「図１」は案内レール７に案内されてカッタユニット２を搭載したカッタベース５のみが走行する構成となっているが、これらカッタベース、カッタユニットを、印字、画像形成を行うインクヘッド等の画像形成手段を搭載して記録材に対して走行するキャリッジに配設することも可能であることは云う迄もない。
【００２１】
「図２」は、カッタベース５が切断位置直前に到来したところを示す側面図である。図示のように、切断動作に入ると、カッタベース５、従ってカッタユニット２はカッタ刃３を伴いながら図示右方に走行するが、このとき、前記ガイドコロ４は最初にテーパ部９ａに至ってこのテーパ部９ａに従って下降するので、カッタユニット２はばね６の作用に抗して図示反時計方向に回動する（「図３」参照）。
【００２２】
これをカッタ刃３の動作としてみると、カッタ刃３が記録材１に進入しながら走行して切断が行われるので、記録材に与える抵抗を可及的に小さくでき、切断縁の真直性を維持できるとともに、記録材に片寄りを与えたり皺が発生したりすることを防止できる。
【００２３】
テーパ部９ａの最下端に至ったガイドコロ４は、そのまま走行を続けてテーパ部９ｂに沿って移動してカッタユニット２を時計方向に回動させ、カッタ刃３は記録材１から引き抜かれるように移動しながら切断を行うことになる。この場合には、カッタ刃３が最も上昇した位置においても、これが記録材から離れない程度にテーパ部９ｂ、９ｃを形成しておくことは勿論である。
【００２４】
さらにカッタベース５が右方に走行すると、ガイドコロ４がテーパ部９ｃに沿って下降し、カッタ刃３は記録材に進入する方向に移動して切断が行われる。以下同様にして、図示しないカッタレール９の右側部分にも、前記テーパ部９ｂ、９ｃと同様のテーパ部を連接しておくことによって、カッタ刃３を上下方向に揺動させながら記録材全長にわたって切断を行うことができる。
【００２５】
以上のように、この装置によれば、カッタをその切断走行方向とは異なった方向から被切断記録材に進入させることが可能であるとともに、切断中にも、カッタ刃が単に押圧切断するのではなく、被切断物に対する引き押しの作用が加わるので、切れ味が向上する。また、このためカッタ刃の全長が切断に寄与するので刃の寿命の延伸にも有効である。
【００２６】
「図４」、「図５」は切断装置の他の実施例を示す側面図で、不図示の案内レールに案内されて図示左右方向に走行するカッタベース１７に、ほぼＶ字状に形成したカッタアーム１４の一方の脚部の端部が枢着してあり、他方の脚部端部に、カッタ刃１２、偏心カム状のコロ１３を備えたカッタユニット１１が枢着してある。
【００２７】
前記カッタベース１７と前記カッタアーム１４との間にはばね１８が配設してあってカッタアーム１４を時計方向に偏倚しているので、前記カッタアーム１４に取着したコロ１５は常時カッタレール１９に当接している。また、前記カッタアーム１４と前記カッタユニット１１との間にはばね１６が配設してあり、これによってカッタユニット１１は反時計方向に偏倚されている。
【００２８】
「図４」は、前記偏心カム状のコロ１３の大径部が記録材１に当接しているところを示し、このとき、ばね１６の作用に抗してカッタユニット１１は反時計方向に回動下位置をとっており、この位置では該ユニット１１のカッタ刃１２は記録材１に深くは進入していない位置をとっている。
【００２９】
切断信号によってカッタベース１７が右方に走行すると、前記コロ１３が回転しながら移動しするので、その大径部、小径部が順次記録材１に当接する位置をとるにつれて、カッタユニット１１が揺動するので、これに伴ってカッタ刃１２が記録材１に深くあるいは浅く進入しながら全体として右方に走行して記録材を切断することになる。（「図５」参照）
【００３０】
即ち、この実施例装置の場合にも、前述の実施例装置の場合と同様、引き押し動作を伴ってカッタ刃の全長を使用しながら切断を行うことができる。
【００３１】
「図６」は本発明の他の実施例を示すもので、この装置は、カッタ刃の近傍にあって切断時に記録材が妄りに動かないように押圧部材を設けたものである。
【００３２】
「図６」において、カッタ刃２１を備えたカッタユニット２０は、案内レール２４に沿って摺動自在となっており、該ユニット２０はワイヤ２５により、不図示の駆動源によって図示左右方向に走行するものとする。
【００３３】
前記カッタユニット２０の、カッタ刃２１の近傍には押え部材２３が配設してあり、これがプラテン２２上の記録材１を押圧してカッタ刃による切断時に記録材の不整な動きを防止して切断を補助するものである。
【００３４】
このような装置において、図示の場合、「図７」に示すように、プラテン２２の前記押圧部材２３に対向する部位に、記録材の巾方向にわたって突部２２ａが形成してある。従って、押圧部材が記録材１を押圧する部分が概ね線接触状態になる。
【００３５】
このように構成してあるから、カッタ刃２１が記録材１に進入しながら走行して切断を行う場合、押圧部材による記録材の押圧作用が狭い部分に集中して押圧力が大となり、カッタ刃による切断部位近傍の記録材部分がカッタ刃による抵抗によって片寄ったり、皺を生じたりして、切断縁が綺麗に真直に形成されないような欠点を好適に回避できる。
【００３６】
「図８」、「図９」は他の実施例を示す要部の端面図であって、上記実施例装置と対応する部分には同一の符号を付して示してあり、それらについての説明は省略する。
【００３７】
「図８」に示す装置では、押圧部材２３によって記録材を押圧する部分が、記録材搬送方向にみてそれより上流側よりも上方にあるように折曲形成してあって、この部分において押圧部材２３が記録材に線接触してこれを押圧するように構成してある。
【００３８】
「図９」に示す装置では、押圧部材２７の、記録材に当接する面に、記録材巾方向に凸条２７ａが延設してあり、記録材１を押圧する部位が線接触になるように形成されている。ここで凸部２７ａを一部分に集中すれば記録材を押圧する部位は点接触となる。
【００３９】
これら「図８」、「図９」に示すようなものが、前記「図６」、「図７」に示す装置と同様の作用を奏し得ることは容易に理解できるところであろう。
【００４０】
「図１０」、「図１１」は本発明による切断装置の他の実施例を示す要部の斜視図及び端面図である。「図１０」に示すように、画像形成装置のプラテン３３上を搬送される記録材１の上方に、プラテン３３、記録材１に平行に案内レール３４が配設してあり、これにカッタ刃３１、押え部材３２を設けたカッタユニット２９が走行自在に配置してあり、該ユニット２９はワイヤ３５を介して図示の駆動源によって図示左右方向に走行するものとする。
【００４１】
記録材切断時には、カッタユニット２９が案内レール３４に沿って摺動して記録材１を切断し、このとき、前記押え部材３２が、記録材のカッタ刃３１近傍部分を押圧して切断時の抵抗によって記録材が片寄ったり、皺を生じたりするのを防止することは前述の各実施例装置の場合と変りはない。
【００４２】
このような装置において、図示の装置では、前記カッタユニット２９のカッタ刃３１の外側に、下方に延設された曲げ案内部３０が形成してある。このため、プラテンから排出された記録材部分は該曲げ案内部３０によって下方に湾曲されることになり、「図１１」に示すように、押え部材３２によってプラテン３３に押圧された記録材はさらに前記曲げ案内部３０によって下方に折曲され、カッタ刃３１はこの折曲された部分を切断してゆくことになる。
【００４３】
「図１２」以下は、記録材の切断部位が水平位置とは異なった状態の部分を切断するように構成した他の実施態様を示すものである。装置では、前記「図１０」に示す装置と対応する部位には同一の符号を付して示してあり、それらについての説明は省略する。
【００４４】
「図１２」に示す装置では、カッタユニット２９には前記曲げ案内部３０に相当する部分はなく、これに相当する部位に、プラテンの上面よりも下方位置にガイド３６が配設してあり、これによってプラテン３３から排出される記録材１を下方に折曲し、この部分をカッタ刃３１が切断して行くようになっている。
【００４５】
「図１３」に示す装置では、カッタユニット３８に、押え部材が符号３９、４０で示すように、カッタ刃３１を挟持するように一対設けてあり、その間に存在する記録材１を屈曲ないし適宜の曲率を有するようにして、この部分を切断するように構成してある。
【００４６】
「図１４」に示す装置では、記録材搬送方向にみてカッタ刃３１の上流側に記録材押えコロ４３を、下流側に押えコロ４４を夫々配設するとともに、該下流側押えコロ４４を、プラテン３３の延在部３３ａに対向配置し、さらに押えコロ４４とプラテン延在部３３ａとで記録材を挟持する部位を、押えコロ４３が記録材を押圧する部位よりも下方にあるように配置してある。
【００４７】
このような構成によって、前記両押えコロ４３、４４の間に位置する記録材を傾斜配置として、この部分をカッタ刃３１で切断して行くように構成してある。
【００４８】
「図１５」に示す装置は、プラテン４９の延在部４９ａにカッタ刃３１が嵌入走行する溝が形成してあり、この溝にカッタ刃３１とともに、これよりも押え部材４８側に曲げ案内部４７が下方に延設してある。
【００４９】
このような構成によってプラテン上を搬送される記録材１は前記曲げ案内部４７によって折曲されて傾斜状になるので、この部分をカッタ刃３１で切断して行くように構成してある。
【００５０】
「図１６」に示す装置はプラテン５２の延在部５２ａがプラテン本体部分よりも下方に位置するように形成してあり、さらに該延在部に適数の吸引孔５３が設けてある。搬送されてプラテンを出た記録材は、図示のように、吸引孔５３によって引きつけられて折曲状態となり、この部位をカッタ刃３１で切断して行くようになっている。
【００５１】
以上のように、カッタ刃によって記録材を切断するにあたって、カッタ刃の全長を均等に切断に利用できるとともに、単に押圧切断するのでなく、押し引き作用を加えるので切れ味が向上する。また、切断にあたって記録材を線接触状態で押圧し、ないしは記録材を屈曲して切断するので、記録材にかかるカッタ刃の抵抗による記録材の片寄り、皺の発生を阻止して真直な切断を可能とする。
【図面の簡単な説明】
【００５２】
【図１】本発明の実施例を示す切断装置の要部の斜視図である。
【図２】同上カッタユニットが切断直前の位置にあるところを示す側面図である。
【図３】同上カッタユニットが切断中であるところを示す側面図である。
【図４】カッタユニットの他の実施態様を示す切断中の状態を示す側面図である。
【図５】同上切断中の状態を示す側面図である。
【図６】切断時に記録材を押圧する押え部材の態様を示す要部斜視図である。
【図７】同上端面図である。
【図８】他の押え部材の構成を示す端面図である。
【図９】さらに他の押え部材の構成を示す端面図である。
【図１０】切断時に記録材の形状を変形させる切断装置の斜視図である。
【図１１】同上端面図である。
【図１２】他の記録材を変形させる構成を示す切断装置の端面図である。
【図１３】さらに他の記録材を変形させる構成を示す切断装置の端面図である。
【図１４】さらにまた他の記録材を変形させる構成を示す切断装置の端面図である。
【図１５】またさらに他の記録材を変形させる構成を示す切断装置の端面図である。
【図１６】他の記録材を変形させる構成を示す切断装置の端面図である。
【符号の説明】
【００５３】
１            記録材
２、１１      カッタユニット
３、１２      カッタ刃
４            カッタコロ
５、１７      カッタベース
７            案内レール
９            カッタレール
１０          プラテン
１３          偏心コロ（カム）
２０，２９，３７，３８、４６、５０      カッタユニット
２１，３１    カッタ刃
２３，３２    押え部材
【図１】
2005047003.tif 000003
【図２】
2005047003.tif 000004
【図３】
2005047003.tif 000005
【図４】
2005047003.tif 000006
【図５】
2005047003.tif 000007
【図６】
2005047003.tif 000008
【図７】
2005047003.tif 000009
【図８】
2005047003.tif 000010
【図９】
2005047003.tif 000011
【図１０】
2005047003.tif 000012
【図１１】
2005047003.tif 000013
【図１２】
2005047003.tif 000014
【図１３】
2005047003.tif 000015
【図１４】
2005047003.tif 000016
【図１５】
2005047003.tif 000017
【図１６】
2005047003.tif 000018